(57)【要約】【課題】高電圧の直流配電システムに遮断性能を十分に得ながら使用することができる回路遮断器を提供する。【解決手段】可動接触子３５の下方に、前後の一対の消弧装置３６に向かって延在するアークランナ３８が設けられており、一対の消弧装置３６に近接するアークランナ３８の両端部には、高抵抗部材３９，４０が一体に設けられている。高抵抗部材３９，４０は、固定接触子３３，３４、固定接点３３ａ，３４ａ、可動接触子３５、可動接点３５ａ、３５ｂ及びアークランナ３８と比較して体積抵抗率が大きい材料が用いられている。【選択図】図１
2012150986.tif 000002
【特許請求の範囲】
【請求項１】
各極に、互いに対向するように配置された前後一対の固定接触子と、前記固定接触子を橋絡する直動式の可動接触子と、前記可動接触子の前後に配置された一対の消弧装置と、これらの消弧装置間に跨がるように前記可動接触子の下方に配置され、電流遮断時に前記固定接触子と前記可動接触子との間に発生するアークの前記可動接触子側の足を転流させるアークランナとを有した回路遮断器において、
前記電流遮断時の通電経路に、前記固定接触子、前記可動接触子と比較して体積抵抗率が大きい高抵抗部材を備えていることを特徴とする回路遮断器。
【請求項２】
前記アークランナ全体が、前記高抵抗部材であることを特徴とする請求項１記載の回路遮断器。
【請求項３】
前記高抵抗部材は、前記アークが転流する領域以外の前記アークランナに接続されていることを特徴とする請求項１記載の回路遮断器。
【請求項４】
前記前後一対の固定接触子と前記可動接触子との接点部に、発生した前記アークが前記一対の消弧装置に向けて移動するように電磁力を作用する永久磁石を配置したことを特徴とする請求項１乃至３の何れか１項に記載の回路遮断器。
【請求項５】
前記永久磁石は、前記前後一対の固定接触子と前記可動接触子との接点部の側部を挟み込む一対の脚部を備えていることを特徴とする請求項４記載の回路遮断器。
【請求項６】
前記前後一対の固定接触子と前記可動接触子との接点部の側部を挟み込む一対の支持脚部を備え、前記一対の支持脚部の対向面に、一対の平板状の前記永久磁石が配置されていることを特徴とする請求項４記載の回路遮断器。
【発明の詳細な説明】
【技術分野】
【０００１】
本発明は、高電圧の直流配電システムに好適な回路遮断器に関する。
【背景技術】
【０００２】
図８及び図９は従来の回路遮断器の接触子部を示すものである。接触子部は、固定接点１ａを備えた固定接触子１と、固定接点１ａと接触する可動接点２ａを備え、図８の右端を支点に固定接触子１に対して開閉動作をする可動接触子２とを有し、隙間を介して積層されたＶ字状の切欠きを有する複数枚のグリッド３を備えた消弧装置４が固定・可動接触子１，２に臨んで配置されている。
固定接触子１はＵ字状に折り返され、固定接点１ａが折り返し端に接合され、固定接触子１の先端にアークランナ６が取り付けられている。また、一対の脚部７ａとこれらの間を結ぶ連結部７ｂとを有するコ字状の磁性体７が、一対の脚部７ａがアークランナ６の両側に直立するように配置されている。
【０００３】
図８及び図９において、短絡などの発生により回路遮断器に大電流が通過し、この電流により可動接触子２に作用する電磁反発力が図示しない接触ばねの荷重を上回ると、図示しない開閉機構の動作に先立って可動接触子２が開極駆動され、固定・可動接点１ａ，２ａ間にアーク５が発生する。固定接点１ａの表面で発生していたアーク５は、アーク５に固定接点１ａから作用する電磁力によりアークランナ６側に移動を始め、固定接点１ａの表面での発弧からアークランナ６の表面での発弧に切り換わり、固定接点１ａの消耗が緩和される。アーク５が消弧装置４に接近すると、グリッド３の作用によりその内側に引き込まれて分断・冷却される。これにより、固定・可動接点１ａ，２ａ間の電圧が一気に高まり、電流は急速に限流されて遮断に至る。なお、図８及び図９で示す固定接触子１は、可動接触子２の反発力及びアーク５の駆動力より高めるためにＵ字形状に曲げ部を設けているが、この曲げ部が存在しない固定接触子の場合も同様の作用となる。
【０００４】
このような回路遮断器を直流配電システムに接続すると、一定周期ごとに電流ゼロ点がおとずれる交流配電システムとは異なり、回路を遮断する際に発生するアークが継続し、遮断が困難になるという問題がある。
そこで、直流配電システムに接続する従来の回路遮断器は、例えば接触子部の開極時の固定・可動接点の間の接点間ギャップを大きくすることでアーク電圧を高め、接点間電圧を直流配電システムの電源電圧よりも高めることで電流を減衰させ、遮断を行っていた（以下、第１の従来の直流配電システム用回路遮断器と称する）。
【０００５】
また、直流配電システム用回路遮断器として、例えば特許文献１に示す回路遮断器がある（以下、第２の従来の直流配電システム用回路遮断器と称する）。この回路遮断器は、図１０に示すように、導体１７及び第２のアーク走行板２２の間に抵抗体１９が接続されている。通常の使用状態では、操作ハンドル１０を投入操作すると、可動接触子１１の可動接点１１ａが固定接触子１２の固定接点１２ａと接触し、回路電流が第１の外部端子１３からコイル１４，固定接触子１２、可動接触子１１，可撓銅撚線１５，バイメタル１６、導体１７及び第２の外部端子１８へと流れ、抵抗体１９には通過しない。また、短絡が発生して瞬時引き外し装置２０が動作すると、可動接点１１ａと固定接点１２ａの間に発生したアークが可動接触子１１と固定接触子１２との間に移行し、さらにアークは上方に設けられた第１のアークランナ２１と、下方に設けられた第２のアークランナ２２との間に転流し、消弧室２３に誘引されて分断消弧される。短絡電流は、アークが第１及び第２のアークランナ２１，２２の間に転流するときに、抵抗体１９を通じて導体１７に流れ、抵抗体１９の電圧降下により端子間電圧が高められ、減衰して遮断される。
【先行技術文献】
【特許文献】
【０００６】
【特許文献１】実開平２−１１５２４１号公報
【発明の概要】
【発明が解決しようとする課題】
【０００７】
しかし、図８及び図９で示した第１の従来の直流配電システム用回路遮断器は、接点間に発生するアーク電圧を電源電圧よりも高めるために固定・可動接点１ａ，２ａの間の接点間ギャップを大きくすると、大型の回路遮断器となるおそれがある。逆に、固定・可動接点１ａ，２ａ間の接点間ギャップを大きくせず、回路遮断器を従来の交流配電システムと同程度の大きさにすると、直流配電システムに使用した場合に十分な遮断性能が得られないおそれがある。
【０００８】
また、図１０で示した第２の従来の直流配電システム用回路遮断器は、アークを、抵抗体１９を接続した第２のアークランナ２２を介して消弧室２３へ駆動するために、強い電磁力が必要となる。電磁力を高める手段として、図８及び図９で示した装置のアーク発生近傍のアークランナ６の両側に配置した磁性体７が考えられる。
【０００９】
しかし、図１０の第２のアークランナ２２に沿って磁性体を配置すると、導体１７及びアークを通電する電流によって発生する磁界を集中させることができるが、通電電流が小さい領域（例えば１００Ａ以下）では、発生する磁界も小さくなり、電磁力が低下してアークを駆動できなくなり、遮断性能が十分に得られないおそれがある。
そこで、本発明は、上記事情に鑑みてなされたものであり、高電圧の直流配電システムに遮断性能を十分に得ながら使用することができ、しかも装置の小型化を図ることができる回路遮断器を提供することを目的としている。
【課題を解決するための手段】
【００１０】
上記目的を達成するために、本発明に係る回路遮断器は、各極に、互いに対向するように配置された前後一対の固定接触子と、前記固定接触子を橋絡する直動式の可動接触子と、前記可動接触子の前後に配置された一対の消弧装置と、これらの消弧装置間に跨がるように前記可動接触子の下方に配置され、電流遮断時に前記固定接触子と前記可動接触子との間に発生するアークの前記可動接触子側の足を転流させるアークランナとを有した回路遮断器において、前記電流遮断時の通電経路に、前記固定接触子、前記可動接触子と比較して体積抵抗率が大きい高抵抗部材を備えている。
【００１１】
この発明によると、短絡電流などの大電流が流れ、開極した一対の固定接触子及び可動接触子の接点間にアークが発生すると、通電経路に設けた固定接触子及び可動接触子と比較して体積抵抗率が大きい高抵抗部材がアーク電圧を上昇させる。これにより、大きな限流作用を得ることができ、遮断性能が高い回路遮断器を得ることができる。また、本発明の回路遮断器は直動２接点構造としているので、高いアーク電圧を得ることができ、高電圧の直流配電システムに対して十分な遮断性能を得ることができる。さらに、アーク電圧を高めるために、固定接触子及び可動接触子の接点間ギャップを大きくする必要がないので、小型の回路遮断器を提供することができる。
【００１２】
また、請求項２記載の発明は、請求項１記載の回路遮断器において、前記アークランナ全体を、前記高抵抗部材とした。
この発明によると、短絡電流などの大電流が流れる通電経路は、アークランナ全体を高抵抗部材としたことで電圧降下が増大し、回路遮断器の端子間の電圧が上昇して限流作用を促進することができる。また、アークランナ全体を高抵抗部材としたことで部品点数が少なくなり、製造コストの低減化を図ることができる。
また、請求項３記載の発明は、請求項１記載の回路遮断器において、前記高抵抗部材は、前記アークが転流する領域以外の前記アークランナに接続されている。
この発明によると、耐アーク性の低い高抵抗部材を用いることができるので、回路遮断器の設計自由度を高めることができる。
【００１３】
また、請求項４記載の発明は、請求項１乃至３の何れか１項に記載の回路遮断器において、前記前後一対の固定接触子と前記可動接触子との接点部に、発生した前記アークが前記一対の消弧装置に向けて移動するように電磁力を作用する永久磁石を配置した。
この発明によると、永久磁石は、発生したアークに対して電磁力を作用することで消弧装置方向へ移動させるので、迅速な短絡遮断動作を得ることができる。
さらに、請求項５記載の発明は、請求項４記載の回路遮断器において、前記永久磁石は、前記前後一対の固定接触子と前記可動接触子との接点部の側部を挟み込む一対の脚部を備えている。
この発明によると、発生したアークに対して強い電磁力を作用することができる。
【００１４】
さらにまた、請求項６記載の発明は、請求項４記載の回路遮断器において、前記前後一対の固定接触子と前記可動接触子との接点部の側部を挟み込む一対の支持脚部を備え、前記一対の支持脚部の対向面に、一対の平板状の前記永久磁石が配置されている。
この発明によると、前後一対の固定接触子と可動接触子との接点部の側部を挟み込んでいる一対の支持脚部の対向面に一対の平板状の前記永久磁石を配置したことで、発生したアークに対して一対の永久磁石から強い電磁力を作用することができる。
【発明の効果】
【００１５】
本発明に係る回路遮断器によれば、通電経路に設けた固定接触子及び可動接触子と比較して体積抵抗率が大きい高抵抗部材がアーク電圧を上昇させるので、高電圧の直流配電システムに対して、大きな限流作用を得て十分な遮断性能を発揮することができる。また、アーク電圧を高めるために、固定接触子及び可動接触子の接点間ギャップを大きくする必要がないので、小型の回路遮断器を提供することができる。
【図面の簡単な説明】
【００１６】
【図１】本発明に係る第１実施形態の回路遮断器の電流遮断部の構造を示す断面図である。
【図２】本発明に係る第２実施形態の回路遮断器の電流遮断部の構造を示す断面図である。
【図３】本発明に係る第３実施形態の回路遮断器の電流遮断部の構造を示す断面図である。
【図４】本発明に係る第４実施形態の回路遮断器の電流遮断部の構造を示す断面図である。
【図５】本発明に係る第４実施形態の回路遮断器に設けた永久磁石の構造を示す図である。
【図６】本発明に係る第５実施形態の回路遮断器の電流遮断部の構造を示す断面図である。
【図７】本発明に係る第５実施形態の回路遮断器に設けた永久磁石の配置構造を示す図である。
【図８】従来の回路遮断器の遮断部の構造を示す図である。
【図９】図８の構造において消弧装置を外した状態を示す図である。
【図１０】他の従来の回路遮断器の構造を示す図である。
【発明を実施するための形態】
【００１７】
以下、本発明を実施するための形態（以下、実施形態という。）を、図面を参照しながら詳細に説明する。
（第１の実施形態）
図１は、本発明に係る回路遮断器の電流遮断部を示す断面図である。ここで、本発明に係る回路遮断器は、直動２接点構造を持つ回路遮断器である。
図中、符号３０は各極にそれぞれ配置された電流遮断部である。各相通電路の外部端子３１，３２には，平角導体からなるＵ字状の固定接触子３３，３４が前後に対向して配置され、各々には固定接点３３ａ，３４ａが取り付けられている。両端がへ字状に屈曲された短冊形の可動接触子３５は、固定接点３３ａ及び３４ａとそれぞれ接触可能な一対の可動接点３５ａ，３５ｂを有する。
【００１８】
可動接触子３５は、通電路を閉路する閉極状態では、接触スプリング（不図示）により固定接触子３３，３４側に押圧され、可動接点３５ａ及び３５ｂが固定接点３３ａ及び３４ａとそれぞれ接触することで、固定接触子３３，３４間を橋絡する。一方、通電路を開路する図示開極状態では、可動接触子３５は開閉機構（不図示）により接触スプリングに抗して図１の矢印方向に押し下げられることで、固定接触子３３，３４から開離する。
【００１９】
また、可動接触子３５の前後には一対の消弧装置３６が配置され、その複数枚のグリッド３７は可動接触子３５の両端を囲んでいる。グリッド３７は、上面視においてＵ字状の磁性板からなり、左右一対の絶縁物の側壁（不図示）に支持されている。
さらに、可動接触子３５の下方には、前後の一対の消弧装置３６に向かって延在するアークランナ３８が設けられており、一対の消弧装置３６に近接するアークランナ３８の両端部には、高抵抗部材３９，４０が一体に設けられている。
【００２０】
高抵抗部材３９，４０は、固定接触子３３，３４、固定接点３３ａ，３４ａ、可動接触子３５、可動接点３５ａ、３５ｂ及びアークランナ３８と比較して体積抵抗率が大きい材料が用いられている。
一般的に用いられる固定接触子３３，３４、固定接点３３ａ，３４ａ、可動接触子３５、可動接点３５ａ、３５ｂ及びアークランナ３８の体積抵抗率は１μΩ・cm程度であるが、高抵抗部材３９，４０には、それと比較して１０3倍〜１０6倍の体積抵抗率のもの、具体的には炭素を主成分とした材料、例えばグラファイトを用いるとよい。
【００２１】
図１の電流遮断部３０を有する回路遮断器は、通常の閉極動作時には、外部端子３１，固定接触子３３、固定接点３３ａ、可動接点３５ａ、可動接触子３５、可動接点３５ｂ、固定接点３４ａ、固定接触子３４、外部端子３２の経路で電流が流れる。
また、短絡電流などの大電流が通過すると、電磁反発力により可動接触子３５が図１のように開極し、固定・可動接点３３ａ，３５ａ及び３４ａ，３５ｂの間にアーク４１が発生する。
【００２２】
このアーク４１は、固定接触子３３，３４を流れる電流に基づく電磁力により、消弧装置３６に向かって移動し、消弧装置３６に引き込まれたアーク４１は、分析・冷却されて消弧され、短絡遮断動作が完了する。
その際、可動接触子３５の下方には、前後の一対の消弧装置３６に向かって延在するアークランナ３８と、アークランナ３８に連続して消弧装置３６側に高抵抗部材３９，４０が設けられており、アーク４１の可動接触子３５側の足はアークランナ３８に移り、アークランナ３８から高抵抗部材３９，４０に移って消弧装置３６側に移動していく。このときの電流経路は、外部端子３１，固定接触子３３、アーク４１、高抵抗部材３９、アークランナ３８、高抵抗部材４０、アーク４１、固定接触子３４、外部端子３２の経路となる。
【００２３】
アーク４１が高抵抗部材３９，４０に転流すると、通電経路に体積抵抗率の高い領域が含まれていることになり、高抵抗部材３９，４０において電圧上昇を得る。
したがって、一般の回路遮断器では、消弧装置内のグリッド及び空隙に発生するアークによる電圧上昇によりアーク電圧の上昇を得るようにしているが、本実施形態では、体積抵抗率の高い高抵抗部材３９，４０でアーク電圧の上昇を得ることができ、大きな限流作用を得ることができるので、遮断性能が高い回路遮断器を提供することができる。
【００２４】
また、本実施形態の回路遮断器は直動２接点構造とし、アーク発生箇所及び消弧装置３６を各相（一極当り）に２箇所ずつ設けているので、より高いアーク電圧を得ることができ、高電圧の直流配電システムに対して十分な遮断性能を得ることができる。
また、本実施形態は、アーク電圧を高めるために固定・可動接点３３ａ，３５ａ及び３４ａ，３５ｂの間の接点間ギャップを大きくする必要がないので、小型の回路遮断器を提供することができる。
【００２５】
（第２の実施形態）
次に、図２は、本発明に係る第２の実施形態の回路遮断器の電流遮断部を示す断面図である。なお、図１で示した構成と同一構成部分には、同一符号を付してその説明を省略する。
本実施形態は、可動接触子３５の下方に、前後の一対の消弧装置３６に近接する位置までアークランナ４２が延在して設けられている。
このアークランナ４２は、固定接触子３３，３４、固定接点３３ａ，３４ａ、可動接触子３５及び可動接点３５ａ、３５ｂと比較して体積抵抗率が大きい材料で形成されており、第１実施形態の高抵抗部材３９，４０と同様に、固定接触子３３，３４、固定接点３３ａ，３４ａ、可動接触子３５及び可動接点３５ａ、３５ｂの体積抵抗率と比較して１０3倍〜１０6倍の体積抵抗率のもの、具体的には炭素を主成分とした材料、例えばグラファイトが用いられている。
【００２６】
本実施形態は、短絡電流などの大電流が通過すると、電磁反発力により可動接触子３５が開極し、固定・可動接点３３ａ，３５ａ及び３４ａ，３５ｂの間にアーク４１が発生する。
アーク４１は、固定接触子３３，３４を流れる電流に基づく電磁力により、消弧装置３６に向かって移動し、可動接触子３５側の足がアークランナ４２に移り、電流経路が、外部端子３１，固定接触子３３、アーク４１、アークランナ４２、アーク４１、固定接触子３４、外部端子３２の経路となる。
【００２７】
本実施形態によると、アークランナ４２は、固定接触子３３，３４、固定接点３３ａ，３４ａ、可動接触子３５及び可動接点３５ａ、３５ｂと比較して体積抵抗率が大きい材料で形成されており、第１実施形態の高抵抗部材３９，４０と比較して、体積抵抗率が大きい部位を流れる電流経路が長くなるので、第１実施形態と比較して電圧降下が増大し、回路遮断器の端子間の電圧が上昇して限流作用を促進することができる。
また、本実施形態は、体積抵抗率が大きい材料のみでアークランナ４２を構成しており、アークランナ３８及び高抵抗部材３９，４０を一体化した第１実施形態と比較して部品点数が少ないので、製造コストの低減化を図ることができる。
【００２８】
（第３の実施形態）
次に、図３は、本発明に係る第３の実施形態の回路遮断器の電流遮断部を示す断面図である。なお、本実施形態も、図１で示した構成と同一構成部分には、同一符号を付してその説明を省略する。
本実施形態は、可動接触子３５の下方に高抵抗部材４３が配置され、この高抵抗部材４３に一体化された一対のアークランナ４４，４５が、前後の一対の消弧装置３６に近接する位置まで延在している。
【００２９】
高抵抗部材４３は、固定接触子３３，３４、固定接点３３ａ，３４ａ、可動接触子３５及び可動接点３５ａ、３５ｂ及び一対のアークランナ４４，４５と比較して体積抵抗率が大きい材料で形成されており、第１実施形態の高抵抗部材３９，４０と同様に、固定接触子３３，３４、固定接点３３ａ，３４ａ、可動接触子３５、可動接点３５ａ、３５ｂ及び一対のアークランナ４４，４５の体積抵抗率と比較して１０3倍〜１０6倍の体積抵抗率のものが用いられている。
【００３０】
本実施形態は、短絡電流などの大電流が通過すると、電磁反発力により可動接触子３５が開極し、固定・可動接点３３ａ，３５ａ及び３４ａ，３５ｂの間にアーク４１が発生する。
アーク４１は、固定接触子３３，３４を流れる電流に基づく電磁力により、消弧装置３６に向かって移動し、可動接触子３５側の足が一対のアークランナ４４，４５に移り、電流経路が、外部端子３１，固定接触子３３、アーク４１、アークランナ４４、高抵抗部材４３、アークランナ４５、アーク４１、固定接触子３４、外部端子３２の経路となる。
【００３１】
ここで、上記電流経路には、体積抵抗率が大きい高抵抗部材４３を設けているので、アーク電圧の上昇を得ることができ、大きな限流作用を得ることができるので、遮断性能が高い回路遮断器を提供することができる。
また、本実施形態は、可動接触子３５の下方に配置した高抵抗部材４３にはアーク４１が移動せず、耐アーク性の低い高抵抗部材４３を用いることができるので、回路遮断器の設計自由度を高めることができる。
【００３２】
（第４の実施形態）
次に、図４から図５は、本発明に係る第４の実施形態の回路遮断器の電流遮断部を示す断面図である。なお、本実施形態も、図３で示した構成と同一構成部分には、同一符号を付してその説明を省略する。
本実施形態は、図４に示すように、固定接触子３３の固定接点３３ａ及び可動接触子３５の可動接点３５ａを囲む位置に第１永久磁石４６が配置され、固定接触子３４の固定接点３４ａ及び可動接触子３５の可動接点３５ｂを囲む位置に第２永久磁石４７が配置されている。これら第１及び第２永久磁石４６，４７としては、ネオジム系、サマリュウムコバルト系、フェライト系などがある。
【００３３】
第１永久磁石４６は、図５（ａ）に示すように、Ｕ字形の永久磁石であり、左右の脚部で可動接触子３５の一方端側の側面部をそれぞれ挟むようにして配置され、左右の脚部のうち一方の脚部４６ａがＮ極、他方の脚部４６ｂがＳ極であり、図４において、紙面の奥が他方の脚部４６ｂ、紙面の手前が一方の脚部４６ａとなるように配置されている。
また、第２永久磁石４７は、図５（ｂ）に示すように、第１永久磁石４６と同様にＵ字形の永久磁石であり、左右の脚部で可動接触子３５の他方端側の側面部をそれぞれ挟むようにして配置され、左右の脚部のうち一方の脚部４７ａがＮ極、他方の脚部４７ｂがＳ極であり、図４において、紙面の奥が一方の脚部４７ａ、紙面の手前が他方の脚部４７ｂとなるように配置されている。
【００３４】
本実施形態は、短絡電流などの大電流が通過し、電磁反発力により可動接触子３５が開極し、固定・可動接点３３ａ，３５ａ及び３４ａ，３５ｂの間にアーク４１が発生すると、固定・可動接点３３ａ，３５ａの間で発生したアーク４１には、図５（ａ）に示すように、第１永久磁石４６によって強められた磁束Φと直交するため、フレミングの左手則により、図４の左側に向かう電磁力（ローレンツ力）が作用する。また、固定・可動接点３４ａ，３５ｂの間で発生したアーク４１には、図５（ｂ）に示すように、第２永久磁石４７によって強められた磁束Φと直交するため、フレミングの左手則により、図４の右側に向かう電磁力（ローレンツ力）が作用する。
【００３５】
したがって、本実施形態は、固定・可動接点３３ａ，３５ａ及び３４ａ，３５ｂをそれぞれ挟み込むように配置した第１及び第２永久磁石４６，４７が、短絡電流などの大電流が通過する開極動作時に、固定・可動接点３３ａ，３５ａ及び３４ａ，３５ｂに発生したアーク４１に対して電磁反発力を作用することでアーク４１を消弧装置３６方向へ移動させるので、迅速な短絡遮断動作を得ることができる。
【００３６】
なお、第１及び第２永久磁石４６，４７から発生する電磁反発力の向きは、着磁方向により一意的に決定されるが、通電方向が常に一定である直流配電システムにおいては、アーク４１中を通電する電流の向きも常に一定になるため、着磁方向をコントロールすることにより、アーク４１に作用する電磁反発力の向きを、常にアークランナ４４，４５方向に固定することができる。
【００３７】
また、第１永久磁石４６は、固定・可動接点３３ａ，３５ａを挟み込む一対の脚部４６ａ，４６ｂを備えており、第２永久磁石４７も、固定・可動接点３４ａ，３５ｂを挟み込む一対の脚部４７ａ，４７ｂを備えているので、アーク４１に対して強い電磁力を作用することができる。
なお、図４から図５の第４の実施形態は、図３で示した第３実施形態に対する変形例として示したが、図１で示した第１実施形態、第２で示した第２実施形態に適用してもよい。
【００３８】
（第５の実施形態）
次に、図６から図７は、本発明に係る第５の実施形態の回路遮断器の電流遮断部を示す断面図である。
本実施形態は、図６に示すように、固定接触子３３の固定接点３３ａ及び可動接触子３５の可動接点３５ａを囲む位置に第１磁石支持体４８が配置され、固定接触子３４の固定接点３４ａ及び可動接触子３５の可動接点３５ｂを囲む位置に第２磁石支持体４９が配置されている。
【００３９】
第１磁石支持体４８は、図７（ａ）に示すように、左右の脚部が可動接触子３５の一方端側の側面部をそれぞれ挟んでいるＵ字形の部材であり、左右の脚部のうち一方の脚部４８ａの内面にＮ極の第１永久磁石５０が固定され、他方の脚部４８ｂの内面にＳ極の第２永久磁石５１が固定され、図６において、紙面の奥に第２永久磁石５１が位置し、紙面の手前に第１永久磁石５０が位置している。
【００４０】
また、第２磁石支持体４９は、図７（ｂ）に示すように、左右の脚部が可動接触子３５の他方端側の側面部をそれぞれ挟んでいるＵ字形の部材であり、左右の脚部のうち一方の脚部４９ａの内面にＮ極の第１永久磁石５０が固定され、他方の脚部４９ｂの内面にＳ極の第２永久磁石５１が固定され、図６において、紙面の奥に第１永久磁石５０が位置し、紙面の手前に第２永久磁石５１が位置している。
第１及び第２永久磁石５０，５１としては、ネオジム系、サマリュウムコバルト系、フェライト系などがある。
【００４１】
本実施形態は、短絡電流などの大電流が通過し、電磁反発力により可動接触子３５が開極し、固定・可動接点３３ａ，３５ａ及び３４ａ，３５ｂの間にアーク４１が発生すると、固定・可動接点３３ａ，３５ａの間で発生したアーク４１には、図６（ａ）に示すように、互いに対向する第１及び第２永久磁石５０，５１間の強められた磁束Φと直交するため、フレミングの左手則により、図６の左側に向かう電磁力（ローレンツ力）が作用する。また、固定・可動接点３４ａ，３５ｂの間で発生したアーク４１には、図６（ｂ）に示すように、互いに対向する第１及び第２永久磁石５０，５１間の強められた磁束Φと直交するため、フレミングの左手則により、図６の右側に向かう電磁力（ローレンツ力）が作用する。
【００４２】
したがって、本実施形態は、固定・可動接点３３ａ，３５ａ及び３４ａ，３５ｂをそれぞれ挟み込むように配置した第１及び第２永久磁石５０，５１が、短絡電流などの大電流が通過する開極動作時に、固定・可動接点３３ａ，３５ａ及び３４ａ，３５ｂに発生したアーク４１に対して電磁力を作用することでアーク４１を消弧装置３６方向へ移動させるので、迅速な短絡遮断動作を得ることができる。
【００４３】
また、第１磁石支持体４８の左右の脚部４８ａ，４８ｂに、固定・可動接点３３ａ，３５ａを挟む込むように第１及び第２永久磁石５０，５１が対向して配置されていることで、固定・可動接点３３ａ，３５ａに発生したアーク４１に対して強い電磁力を作用することができるとともに、第２磁石支持体４９の左右の脚部４９ａ，４９ｂに、固定・可動接点３４ａ，３５ｂを挟む込むように第１及び第２永久磁石５０，５１が対向して配置されていることで、固定・可動接点３４ａ，３５ｂに発生したアーク４１に対して強い電磁力を作用することができる。また、Ｕ字形の第１及び第２磁石支持体４８，４９に、第１及び第２永久磁石５０，５１を対向して配置しただけの構成なので、電流遮断部を容易に組み立てることができる。
なお、この第５の実施形態も、図３で示した第３実施形態に対する変形例として示したが、図１で示した第１実施形態、第２で示した第２実施形態に適用してもよい。
【符号の説明】
【００４４】
３０…電流遮断部、３１，３２…外部端子、３３，３４…固定接触子、３３ａ，３４ａ…固定接点、３５…可動接触子、３５ａ，３５ｂ…可動接点、３６…消弧装置、３７…グリッド、３８…アークランナ、３９，４０…高抵抗部材、４１…アーク、４２…アークランナ、４３…高抵抗部材、４４，４５…アークランナ、４６…第１永久磁石，４７…第２永久磁石、４６ａ，４６ｂ…脚部、４７ａ，４７ｂ…脚部、４８…第１磁石支持体、４８ａ…一方の脚部、４８ｂ…他方の脚部、、４９…第２磁石支持体、４９ａ…一方の脚部、４９ｂ…他方の脚部、５０…第１永久磁石、５１…第２永久磁石
【図１】
2012150986.tif 000003
【図２】
2012150986.tif 000004
【図３】
2012150986.tif 000005
【図４】
2012150986.tif 000006
【図５】
2012150986.tif 000007
【図６】
2012150986.tif 000008
【図７】
2012150986.tif 000009
【図８】
2012150986.tif 000010
【図９】
2012150986.tif 000011
【図１０】
2012150986.tif 000012